(57)【要約】  同軸ケーブル・ポート保護デバイスを提供する。このポート保護デバイスは、第１本体と第２本体の間に位置付けられ、同軸ケーブル・ポートへの無許可のアクセス防止に使用される一方向のクラッチ機構を備える。ただし、特別の工具を使用してクラッチ機構の動作を無効にし、ポート保護デバイスを取り外し、それによって認可されたポートへのアクセスを可能にすることができる。
2008541350.tif 000002
【特許請求の範囲】
【請求項１】
外側本体と、
前記外側本体の少なくとも一部内に受容される内側本体と、
前記内側本体に対するクラッチ部材の第１の方向の軸回転が、前記クラッチ部材と前記内側本体の動作のために前記クラッチ部材に生じる接触力によって阻止されるように前記外側本体と前記内側本体の間で動作可能なクラッチ部材とを備え、特別の工具が用いられて前記クラッチ部材の動作が無効にされない限り、前記クラッチ部材が前記内側本体に対する反対の第２の軸回転方向に自由に可動である、同軸ケーブル・ポート保護デバイス。
【請求項２】
前記デバイスが位置決めリングをさらに備える、請求項１に記載の同軸ケーブル・ポート保護デバイス。
【請求項３】
前記デバイスが中心ブッシングをさらに備える、請求項１に記載の同軸ケーブル・ポート保護デバイス。
【請求項４】
前記デバイスが環境キャップをさらに備える、請求項１に記載の同軸ケーブル・ポート保護デバイス。
【請求項５】
前記デバイスが中心ピンをさらに備える、請求項１に記載の同軸ケーブル・ポート保護デバイス。
【請求項６】
前記デバイスが、前記内側本体上に、特別の工具と前記同軸ケーブル・ポート保護デバイスとの間の動作可能な係合を助けるための少なくとも１つの工具係合部をさらに備える、請求項１に記載の同軸ケーブル・ポート保護デバイス。
【請求項７】
前記特別の工具が前記内側本体の前記少なくとも１つの工具係合部に対応する少なくとも１つの引込み式係合要素を備える、請求項６に記載の同軸ケーブル・ポート保護デバイス。
【請求項８】
第１本体と、
前記第１本体に対して軸方向に位置付けられた第２本体と、
前記第１本体と前記第２の本体の間に半径方向に位置付けられた弾性部材とを備え、
前記弾性部材が前記第１の本体と前記第２本体の両方に対して一軸方向だけに自由に回動可能であり、さらに、前記弾性部材と前記第２本体の間の物理的干渉により前記弾性部材が前記第１本体に対してのみ反対の軸方向に自由に回動可能である、同軸ケーブル・ポート保護デバイス。
【請求項９】
前記デバイスが位置決めリングをさらに備える、請求項８に記載の同軸ケーブル・ポート保護デバイス。
【請求項１０】
前記デバイスが中心ブッシングをさらに備える、請求項８に記載の同軸ケーブル・ポート保護デバイス。
【請求項１１】
前記デバイスが環境キャップをさらに備える、請求項８に記載の同軸ケーブル・ポート保護デバイス。
【請求項１２】
前記デバイスが中心ピンをさらに備える、請求項８に記載の同軸ケーブル・ポート保護デバイス。
【請求項１３】
前記デバイスが特別の器具と共に動作可能である、請求項８に記載の同軸ケーブル・ポート保護デバイス。
【請求項１４】
前記デバイスが、前記特別の工具と前記同軸ケーブル・ポート保護デバイスの動作を容易にするための前記第２本体上に構成された少なくとも１つの工具係合部をさらに備える、請求項１３に記載の同軸ケーブル・ポート保護デバイス。
【請求項１５】
前記特別の工具が前記第２本体の前記少なくとも１つの工具係合部に対応する少なくとも１つの引込み式係合要素を備える、請求項１４に記載の同軸ケーブル・ポート保護デバイス。
【請求項１６】
第２本体に対して軸方向に位置付けられた第１本体と、前記第１本体の少なくとも一部内に受容される前記第２本体と、
特別の工具が回転操作に使用されない場合に、前記第２本体に対する前記第１本体の一方向の自由回転を容易にする手段とを備える、同軸ケーブル・ポート保護デバイス。
【請求項１７】
前記デバイスが、前記特別の工具と前記同軸ケーブル・ポート保護デバイスとの間の動作可能な係合を助けるための工具係合手段をさらに備える、請求項１６に記載の同軸ケーブル・ポート保護デバイス。
【請求項１８】
前記特別の工具が前記同軸ケーブル・ポート保護デバイスの前記係合手段に対応する係合手段を備える、請求項１７に記載の同軸ケーブル・ポート保護デバイス。
【請求項１９】
同軸ケーブル・ポートを保護する方法であって、
同軸ケーブル・ポート保護デバイスを提供することであって、前記デバイスが、
第１本体と、
前記第１本体に対して軸方向に位置付けられた第２本体と、
前記第１本体と前記第２本体の間に半径方向に位置付けられた弾性部材とを備え、
前記弾性部材が前記第１本体と前記第２本体の両方に対して一軸方向だけに自由に回動可能であり、さらに、前記弾性部材と前記第２本体の間の物理的干渉により前記弾性部材が前記第１本体に対してのみ反対の軸方向に自由に回動可能であること、および
前記同軸ケーブル・ポート保護デバイスの動作により、同軸ケーブルの前記同軸ケーブル・ポートへの無許可の接続を防止することを含む方法。
【請求項２０】
特別の工具を使用して同軸ケーブルの前記同軸ケーブル・ポートへの許可された接続を容易にすることをさらに含む、請求項１９に記載の方法。
【発明の詳細な説明】
【技術分野】
【０００１】
本発明は、一般的には同軸ケーブル・ポート保護デバイスの分野に関し、より詳細には本発明は、一方向クラッチ機構を使用するポート保護デバイスおよびその使用方法に関するものである。
【背景技術】
【０００２】
電磁波伝送は普及している情報交換モードであり、同軸ケーブルが電磁波通信の媒体として一般に使用されている。同軸ケーブル・インターフェース・ポートは、通常、同軸ケーブルを様々な電磁波通信デバイスに接続しやすくするために実装され、それによって同軸ケーブルを介して情報を伝送することができるようになる。同軸ケーブルの同軸ケーブル・インターフェース・ポートへの接続を妨げることによって、無許可の電磁波通信の受信または送信を防止することが望ましい場合が多い。無許可の同軸ケーブル接続の防止は、通常、同軸ケーブル・ポート保護デバイスを使用して行われる。
【０００３】
一般の同軸ケーブル・ポート保護デバイスは、ポートへのアクセスを適切に阻止するためにポートに締め付ける必要があり、通常、デバイスは、自由に回転する内側／外側構成要素の構成を使用して、無許可のデバイス取外し行為からポートを保護するように構成されている。デバイスが自由に回転する構成のため、通常はポート保護デバイスの設置の際に適切に締付力を加えるために特別の工具が必要とされる。
【０００４】
一般の保護デバイスの取り付けは、僅かな屈曲または結合負荷を内側と外側構成要素の間に単に与えることにより、保護デバイスをポート上に指で締め付けることによって行われる。したがって、構成要素間の限定量のねじれ結合が生じ、デバイスを幾つかのねじ山の距離だけポート上に締め付けることができるようになる。
【０００５】
細心の設置者は、特定の工具を使用してデバイスの完全なしっかりした締付けを行い、結合圧力など簡単な方法では取り外すことができないようにする。しかし、多くの設置者は、工具を使用してデバイスをしっかり締め付ける努力をしないため、保護デバイスは、デバイスに使用されたのと同じ結合手段による無許可の取外しが行われやすい状態で放置されている。
【０００６】
したがって、同軸ケーブル・ポート保護デバイスの分野では、同軸ケーブル・インターフェース・ポートへの無許可のアクセスをより効果的に防止する、改良型ポート保護デバイスが求められている。
【発明の開示】
【発明が解決しようとする課題】
【０００７】
本発明は、信頼性の向上をもたらす同軸ケーブル通信システムで使用される装置を提供することを、解決すべき課題としてなされたものである。
【課題を解決するための手段】
【０００８】
本発明の第１の全般的な態様は、同軸ケーブル・ポート保護デバイスを提供するものであって、前記デバイスは、外側本体、外側本体の少なくとも一部内に受容される内側本体、および、内側本体に対するクラッチ部材の第１の方向の軸回転が、クラッチ部材と内側本体との協働によってクラッチ部材に生じる接触力によって阻止されるように外側本体と内側本体の間で作用するクラッチ部材を備え、特別の工具が使用されてクラッチ部材の作用が無効にされない限り、クラッチ部材は内側本体に対して反対の第２の軸回転方向に自由に可動となるようにされる。
【０００９】
本発明の第２の全般的な態様は、同軸ケーブル・ポート保護デバイスを提供するものであって、前記デバイスは、第１本体、第１本体に対して軸方向に位置付けられた第２本体、および、第１本体と第２本体の間に半径方向に位置付けられた弾性部材を備え、弾性部材は第１本体と第２本体の両方に対して一軸方向だけに自由に回転的に可動であり、さらに、弾性部材と第２本体の間の物理的干渉により弾性部材は第１本体に対してのみ反対の軸方向に自由に回動可能となるようにされる。
【００１０】
本発明の第３の全般的な態様は、同軸ケーブル・ポート保護デバイスを提供するものであって、前記デバイスは、第２本体に対して軸方向に位置付けられた第１本体、第１本体の少なくとも一部内に受容される前記第２本体、および、特別の器具が回転操作に使用されない限り、前記第２本体に対する前記第１本体の一方向の自由回転を容易にする手段を備えて構成される。
【００１１】
本発明の第４の全般的な態様は、同軸ケーブル・ポートを保護する方法を提供するものであって、前記方法は、同軸ケーブル・ポート保護デバイスを提供することを含む。このデバイスは、第１本体、第１本体に対して軸方向に位置付けられた第２本体、および、第１本体と第２本体の間に半径方向に位置付けられた弾性部材を備え、弾性部材は第１本体と第２本体の両方に対して一軸方向だけに自由に回動可能であり、さらに、弾性部材と第２本体の間の物理的干渉により弾性部材は第１本体に対してのみ反対の軸方向に自由に回動可能である。この方法は、前記同軸ケーブル・ポート保護デバイスの動作により、同軸ケーブルの同軸ケーブル・ポートへの無許可の接続を防止することをさらに含む。
【００１２】
本発明の上記した、およびそれ以外の特徴は、本発明の様々な実施形態についての以下のより詳細な説明から明らかになるであろう。
【発明を実施するための最良の形態】
【００１３】
本発明の実施形態の一部を添付の図を参照して詳細に記載する。図では、同様の記号は同様の部材を示す。
【００１４】
本発明の幾つかの実施形態を図で示し詳細に記載するが、添付の特許請求の範囲から逸脱することなく、様々な変更および修正を加えることができることは言うまでもない。本発明の範囲は、構成要素の数、材料、形状、相対配置などに決して限定されることはなく、それらは単に例示の実施形態として開示したものである。本発明の特徴および利点は添付の図面に詳細に示されている。図面では、同様の参照番号は図面を通して同様の要素を指す。
【００１５】
詳細な説明の序文として、本明細書および添付の特許請求の範囲で使用されるように、文脈で明示されていない場合は、単数形「１つ」および「その」は複数形をも含むことに留意されたい。
【００１６】
図１を参照すると、図１は、本発明による同軸ケーブル・ポート保護デバイス１００の第１の実施形態を示す分解斜視図である。同軸ケーブル・ポート保護デバイス１００は、シェルまたは外側ケーシングを形成する外側本体等の第１本体１１０を備える。第１本体（外側本体）１１０は、ねじ端部１１２を追加で備えることができる。
【００１７】
さらに、第１本体（外側本体）１１０は、ユーザが同軸ケーブル・ポートに取り付け、および／または、それから取り外す間、同軸ケーブル・ポート保護デバイス１００を把持して操作する際の助けとなる外側把持部１１６を備えることができる。外側把持部１１６を多様に寸法設定して、同軸ケーブル・ポート保護デバイス１００の物理的把持に有効に適応させることができる。
【００１８】
同軸ケーブル・ポート保護デバイス１００の第１の実施形態においては、複数の外側把持部１１６を備えることができる。さらに、第１本体（外側本体）１１０は、その挿入開口部１１８内に受容される内側本体の如き第２本体１２０を保持するように嵌合する、環状凹部、内周スロット、または他の同様の形状の内部保持部１１４を備えることができる。したがって、第２本体（内側本体）１２０が第１本体（外側本体）１１０の一部内に受容されたときに、第２本体（内側本体）１２０の外部保持部１２４が第１本体（外側本体）１１０の内部保持部１１４と係合することができる。第１本体（外側本体）１１０と第２本体（内側本体）１２０の接触により、２つの本体の軸方向の回転が互いに実質的に妨げられないようにする必要がある。
【００１９】
図１でさらに示すように、第２本体（内側本体）１２０を第１本体（外側本体）１１０に対して軸方向に位置付けることができる。さらに、第２本体（内側本体）１２０は、同軸ケーブル・インターフェース・ポートに取り付けられるように構成されたねじ開口部１２２を含むこともできる。第２本体（内側本体）１２０は、クラッチ係合部１２６を追加で備えることができる。クラッチ係合部１２６は、弾性クラッチ部材１３０が第２本体（内側本体）１２０の周りで、ある第１の軸方向に回転された際に、弾性クラッチ部材１３０と摺動式に接触するもので、スロット、カットアウト、移動止め、隆起部、凹部、突起、または他の同様の形状となし得る。弾性クラッチ部材１３０が第２の反対の軸方向に移動するときに、弾性クラッチ部材１３０と第２本体１２０のクラッチ係合部１２６の間の物理的干渉のために、クラッチ係合部１２６が弾性クラッチ部材１３０の移動を阻止する助けをするように構成される。
【００２０】
当業者は理解するであろうが、２つ以上のクラッチ係合部１２６を第２本体（内側本体）１２０の設計に組み込むことができる。たとえば、複数のクラッチ係合部１２６を内側本体など第２本体（内側本体）１２０の環状外部の周囲に間隔をおいて配置することによって、弾性クラッチ部材１３０が第２本体（内側本体）１２０の周りで回転させられるときに、弾性クラッチ部材１３０がクラッチ係合部１２６とより高い頻度で接触、および／または、係合することができるようになる。
【００２１】
さらに、第２本体（内側本体）１２０は工具係合部１２８を備えることができる。工具係合部１２８を（図５〜６で示した）特別の工具または器具３００の１つまたは複数の係合要素３０８に物理的かつ寸法的に対応するように多様に構成して、特別の工具または器具３００が第２本体１２０と係合する際の助けとなるようにすることができる。
【００２２】
さらに図１を参照すると、同軸ケーブル・ポート保護デバイス１００の一実施形態では、弾性クラッチ部材１３０と協働する位置決めリング１３２を備えることができる。位置決めリング１３２の一実施形態では、弾性クラッチ部材１３０を第１本体（外側本体）１１０と第２本体（内側本体）１２０の間に半径方向に位置付けるための、弾性クラッチ部材１３０のサイズおよび寸法に物理的に対応するサイズおよび寸法の、切欠き、スロット、カットアウト、凹部、または他の同様の形状のクラッチ座部１３４を備える。位置決めリング１３２は、第１本体（外側本体）１１０および第２本体（内側本体）１２０に対して自由に回転可能にしてもよい。したがって、弾性クラッチ部材１３０のリング１３２に対する作用位置は、第１本体（外側本体）１１０、および／または、第２本体（内側本体）１２０と共に回転可能に動作する場合に、実質的に一定の軸方向および半径方向の位置付けをもたらす。
【００２３】
当業者は理解するであろうが、同軸ケーブル・ポート保護デバイス１００の多様な実施形態は、第１本体１１０と第２本体１２０の間に半径方向に位置付けられた複数の弾性クラッチ部材１３０を備えることができ、それによって弾性クラッチ部材１３０が第２本体１２０の周りで回転されるときに、複数の弾性クラッチ部材１３０がクラッチ係合部１２６とより高い頻度で接触、および／または、係合することができるようになる。
【００２４】
弾性クラッチ部材１３０の動作は、弾性クラッチ部材１３０がどちらかの軸方向に回転された場合に、弾性クラッチ部材１３０と第１本体（外側本体）１１０の内面による摺動可能な物理的接触を含むことができる。さらに弾性クラッチ部材１３０の動作は、弾性クラッチ部材１３０が第１の軸方向に回転された場合、弾性クラッチ部材１３０の形状および機能により回転が阻止されないため、弾性クラッチ部材１３０と第２本体（内側本体）１２０の外面による摺動可能な物理的接触を含むこともできる。しかし第２の反対の軸方向に回転された場合は、弾性クラッチ部材１３０と第２本体（内側本体）１２０の協働から生じる弾性クラッチ部材１３０の接触力のため、弾性クラッチ部材１３０は第１本体（外側本体）１１０に対しては単に自由に回動可能であるが、第２本体（内側本体）１２０に対しては、弾性クラッチ部材１３０と第２本体１２０のクラッチ係合部１２６の間の物理的干渉により、第２の反対の軸方向の自由な回転が阻止される。
【００２５】
さらに図１を参照すると、同軸ケーブル・ポート保護デバイス１００の一実施形態においては、第１本体１１０、第２本体１２０、および／または、位置決めリング１３２と軸方向に整列可能な中心ブッシング１４０を備えることができる。同軸ケーブル・ポート保護デバイス１００の第１の実施形態の多様に実施される構成要素を、旋削、フライス加工、タッピング、穿孔、スタンピング、曲げ加工、切削、射出成形、鋳造、および／または、他の同様の部品成形技法によって、金属、合金、複合物、または半剛性プラスチックから製作することができる。
【００２６】
さらに、当業者には理解されるように、同軸ケーブル・ポート保護デバイス１００の構成要素の多様な形状を、デバイス１００の発明の性質を損なうことなく、様々に相互に方向付けることができる。たとえば、第１本体（外側本体）１１０は凹んだ内部保持部に代えて突き出た内部保持部１１４を備えることができ、第２本体（内側本体）１２０は突き出た外部保持部に代えて凹んだ外部保持部１２４を備えることができ、このような第１本体（外側本体）１１０および第２本体（内側本体）１２０の相互の形状設計により、同軸ケーブル・ポートの防護が有効に行われる。
【００２７】
同軸ケーブル・ポート保護デバイス１００の性能の中核は、第１本体（外側本体）１１０を第２本体（内側本体）１２０に対して一方向に回転しやすくする助けをする弾性クラッチ部材１３０を使用することによって、無許可のポートへのアクセスを阻止することである。弾性クラッチ部材１３０は第１本体（外側本体）１１０と第２本体（内側本体）１２０の間に配置されるため、弾性クラッチ部材１３０は２つの本体の間の結合力によって生じる通常の脆弱性を低減するよう機能する。即ち、第１本体１１０と第２本体１２０の間の結合力では、以前の保護デバイスをポートからねじ解くことが可能であり、ポートが防護されず、無許可のケーブル接続による利用が可能な状態のままにされる。
【００２８】
しかるに、本発明の実施形態では、（図５〜６で示した）独特の器具または工具３００が回転操作に使用されない限り、第１本体（外側本体）１１０を第２本体（内側本体）１２０に対して自由に回転しやすくする手段として、弾性クラッチ部材１３０を使用する。同軸ケーブル・ポート保護デバイスは取り付け後に第１の緩める回転方向に自由に回転する。弾性クラッチ部材１３０は、外側構成要素に締め付ける方向に結合力が加えられた場合、および／または、トルクが加えられた場合、第２本体（内側本体）１２０と第２の締め付ける回転方向だけに係合する。したがって、無許可のユーザは、構成要素間に結合力を加えても同軸ケーブル・ポート保護デバイス１００を取り外すことができない。
【００２９】
しかし設置者はなお、結合トルクを第１本体（外側本体）１１０に締め付ける方向に加えて、弾性クラッチ部材１３０が第２本体（内側本体）１２０と係合し、設置者がデバイスをポート上に幾つかのねじ山の距離だけねじることができるようすることによって、同軸ケーブル・ポート保護デバイス１００を同軸ケーブル・ポートに取り付けることができる。細心な設置者は次いで（図５〜６で示した）特別の工具３００を使用して、保護デバイス１００のポートへの完全なしっかりした締め付けを続けて行う。しかし、デバイス１００が単に指で取り付けられたままにされ、工具３００を使用して完全に締め付けられない場合でも、弾性クラッチ部材１３０の動作により、緩める方向に回転されても第２本体１２０の回転係合が阻止されるため、デバイス１００はなおポートの保護を行うことができる。
【００３０】
さらに図２を参照すると、図２は、本発明による同軸ケーブル・ポート保護デバイス１００の第１の実施形態を示す切欠斜視図である。完全に組み立てた場合、第２本体（内側本体）１２０が第１本体（外側本体）１１０の一部内に受容されて、第２本体（内側本体）１２０のねじ開口部１２２の縁部が第１本体（外側本体）１１０の挿入開口部１１８の縁部と同じ高さになる。さらに、完全に組み立てられると、第１本体（外側本体）１１０は、部品間の係わり合いにより、第２本体（内側本体）１２０に対して実質的に固定された位置に軸方向に保持される。たとえば、完全に挿入されると、第２本体（内側本体）１２０の環状リップなどの外部保持部１２４が第１本体（外側本体）１１０の環状リムなどの内部保持部１１４内にスナップ嵌合されて、２つの部品の互いに対する軸方向の位置が維持される。
【００３１】
しかし、２つの部品間に配置された弾性クラッチ部材１３０、および／または、位置決めリングが、第１本体（外側本体）１１０の第２本体（内側本体）１２０に対する摺動可能な軸方向の回転運動を容易にする助けをするように作用することができる点で、２つの部品は互いに対して自由回転可能なままである。第２本体（内側本体）１２０が弾性クラッチ部材１３０の半径方向の内側部分を物理的に包囲するように組み立てられた場合に、保持リング１３２のクラッチ座部１３４内に配置された弾性クラッチ部材１３０の半径方向の外側部分を収容する第１本体１１０の存在によって、弾性クラッチ部材１３０を同軸ケーブル・ポート保護デバイス１００の第１の実施形態内の適所に保持することができる。
【００３２】
続けて図２を参照すると、同軸ケーブル・ポート保護システム１００の一実施形態においては、第２本体１２０の中空部分内に配置され、同軸ケーブル・ポート保護デバイス１００の軸に沿って中央に位置付けられた中心ブッシング１４０を備えることができる。さらに、同軸ケーブル・ポート保護デバイス１００の第１本体１１０は、端キャップまたは他のねじ部分などの追加の相補形ねじ構成要素を受け得るように構成され、および／または、同軸ケーブル・ポート・デバイスを相補形ねじ内部開口部を有する追加的部分に取り付けやすくするように構成されたねじ端部１１２を備えることができる。
【００３３】
さらに図３を参照すると、図３は、本発明による同軸ケーブル・ポート保護デバイス１００の第１の実施形態を示す斜視図である。第１本体（外側本体）１１０の外周面上に示されているのは、ユーザが保護デバイス１００の設置に使用することができる外部把持部１１６であり、外側把持部１１６は、より大きいトルクを加えることができるようにする有効な把持面を提供することによって、デバイス１００を回転させる際の助けをする。さらに、第２本体（内側本体）１２０のねじ開口部１２２の縁部が第１本体（外側本体）１１０の挿入開口部１１８の縁部と同じ高さである場合、第１本体（外側本体）１１０から第２本体（内側本体）１２０に別々に有効にアクセスして保護デバイス１００の無許可の取外し操作を行うことができないため、より強固なポート防護をもたらすことができる。
【００３４】
さらに図４を参照すると、図４は、本発明による同軸ケーブル・ポート保護デバイスの第２の実施形態を示す分解斜視図である。同軸ケーブル・ポート保護デバイス２００は、外部剛性スリーブまたは覆いを形成する第１本体（外側本体）２１０を備えることができる。第１本体（外側本体）２１０はねじ端部２１２を備えることもできる。さらに、第１本体（外側本体）２１０は、ユーザが同軸ケーブル・ポートへの取り付け、および／または、それからの取外し中に同軸ケーブル・ポート保護デバイス２００を把持し操作する際の助けをする複数の外部把持部２１６を備えることができる。外側把持部２１６を同軸ケーブル・ポート保護デバイス２００の物理的把持に有効に対応するように多様に寸法設定することができる。
【００３５】
さらに、第１本体（外側本体）２１０は、第１本体（外側本体）２１０の挿入開口部２１８内に受容される第２本体（内側本体）２２０を保持するように嵌合される、環状凹部、内周スロット、または他の同様の形状の内部保持部２１４を備えることができる。したがって、第２本体（内側本体）２２０が第１本体（外側本体）２１０の一部内に受容された場合に、第２本体（内側本体）２２０の外部保持部２２４が第１本体（外側本体）２１０の内部保持部２１４と連通することができる。第１本体（外側本体）２１０と第２本体（内側本体）２２０の接触により、２つの本体の軸方向の回転が互いに実質的に妨げられないようにしなければならない。
【００３６】
第２本体２２０は同軸ケーブル・インターフェース・ポートに取り付けられるように構成されたねじ開口部２２２を有することもできる。さらに、第２本体２２０を第１本体２１０に対して軸方向に位置付けることができる。第２本体２２０は、弾性クラッチ部材２３０が第２本体２２０の周りを１つの第１の軸方向に回転された場合に弾性クラッチ部材２３０に摺動式に接触する、スロット、カットアウト、移動止め、隆起部、凹部、突起、または他の同様の形状のクラッチ係合部２２６を追加で備えることができ、クラッチ係合部２２６は、部材２３０が第２の反対の軸方向に移動される場合に、弾性クラッチ部材２３０と第２本体２２０のクラッチ係合部２２６の間の物理的干渉によって弾性クラッチ部材２３０の移動を阻止する助けをする。当業者は理解するであろうが、２つ以上のクラッチ係合部２２６を第２本体２２０の設計に組み込むことができる。
【００３７】
さらに、第２本体２２０は工具係合部２２８を備えることができる。工具係合部２２８は、（図５〜６で示した）特別の工具または器具３００が第２本体２２０と係合する際の助けとなるように、特別の工具または器具３００の１つ、および／または、複数の係合要素３０８に物理的かつ寸法的に対応するように多様に構成することができる。当業者は理解するであろうが、同軸ケーブル・ポート保護デバイス２００の実施形態は、特別の工具または器具３００とのさらなる相互作用および係合を容易にして、デバイス２００を同軸ケーブル・インターフェース・ポートに完全に締め付けるための、複数の工具係合部２２８を備えることができる。
【００３８】
さらに図４を参照すると、同軸ケーブル・ポート保護デバイス２００の一実施形態においては、一体型弾性クラッチ部材２３０と共に作用する位置決めリング２３２を備えることができる。一体型弾性クラッチ部材２３０は位置決めリング２３２の本体から半径方向に内側に屈曲する可撓性部分またはセグメントでもよい。弾性クラッチ部材２３０は位置決めリング２３２と一体型でもよいため、構成要素の製造を一体化し、各構成要素の個々の機能を維持しながら部品を統合することができる。たとえば、弾性クラッチ部材２３０を自動スタンピング、パンチング、または切削プロセスあるいは他の同様の製造方法でリング２３２から作成することができる。
【００３９】
さらに、弾性クラッチ部材２３０が位置決めリング２３２に一体的に取り付けられる場合、（同軸ケーブル・ポート保護デバイス１００の第１の実施形態を示す図１で示したように）クラッチ部材２３０のクラッチ座部１３４内への配置などによって、弾性クラッチ部材２３０を別々に位置決めリング２３２に対応させる必要なく、構成要素を同軸ケーブル・ポート保護デバイス２００内の組立位置に同時に配置することができるため、組立はより効率的になる。弾性クラッチ部材２３０のリング２３２との一体的かつ相互作用的存在により、第１本体（外側本体）２１０、および／または、第２本体（内側本体）２２０との回転動作の際に実質的に一定の軸方向および半径方向の位置付けが行われる。
【００４０】
図で示したように、同軸ケーブル・ポート保護デバイス２００の第２の実施形態では、位置決めリング２３２と一体型であって、第１本体（外側本体）２１０と第２本体（内側本体）２２０の間に半径方向に位置付けられた複数の弾性クラッチ部材２３０を有することができ、それによって弾性クラッチ部材２３０が第２本体（内側本体）２２０の周りで回転されるときに、複数の弾性クラッチ部材２３０がクラッチ係合部２２６とより高い頻度で接触、および／または、係合することができるようになる。
【００４１】
一体型弾性クラッチ部材２３０の動作は、一体型弾性クラッチ部材２３０が第１の軸方向に回転された場合は、一体型弾性クラッチ部材２３０の形状および機能により回転が阻止されないため、一体型弾性クラッチ部材２３０と第２本体（内側本体）２２０の外面による摺動可能な物理的接触を含むことができる。しかし第２の反対の軸方向に回転された場合、弾性クラッチ部材２３０は、一体型弾性クラッチ部材２３０の第２本体（内側本体）２２０との動作から生じる弾性クラッチ部材２３０の接触力により、第２本体（内側本体）２２０に対して自由に回動可能ではなく、一体型弾性クラッチ部材２３０と第２本体（内側本体）２２０のクラッチ係合部２２６の間の物理的干渉により第２の反対の軸方向の自由な回転が阻止される。
【００４２】
さらに図４を参照すると、同軸ケーブル・ポート保護デバイス２００の一実施形態においては、第１本体２１０、第２本体２２０、および／または、位置決めリング２３２と軸方向に整列可能な中心ブッシング２４０を備えることができる。さらに、同軸ケーブル・ポート保護デバイス２００は、中心ブッシング２４０の一部内へ挿入可能に形成された中心ピン２４２を備えることができる。中心ピン２４２を、通常の同軸ケーブル・インターフェース・ポートに一般に配置されている中心軸方向開口部内に挿入することもできる。  
【００４３】
同軸ケーブル・ポート保護デバイス２００の第２の実施形態においては、環境上好ましい素材の環境キャップ２５０を追加で備えることができる。環境キャップ２５０を、第１本体（外側本体）２１０の挿入開口部２１８の内縁部と第２本体（内側本体）２２０のねじ開口部２２２の外縁部の間に嵌合されるように構成して、湿気や他の望ましくない汚染物のポート保護デバイス２００への侵入を防止し、または望ましくない電磁騒音がポート保護デバイス２００に入ることを防止する役目を果たすこともできる。環境キャップ２５０の嵌合は、スナップ嵌め、押し込み式設計、または同様の構成でよく、多様な表面形状を使用して、環境キャップ２５０が同軸ケーブル・ポート保護デバイス２００に配置された後にそれを定位置に物理的に保持し、保有する助けをすることができる。
【００４４】
当業者は理解するであろうが、同軸ケーブル・ポート保護デバイス２００の発明の性質を損なうことなく、デバイス２００の第２の実施形態の構成要素の多様な形状部を多様な相補的方法で相互に方向付けることができる。たとえば、環境キャップ２５０を、第１本体（外側本体）２１０の挿入開口部２１８の内縁部と第２本体（内側本体）２２０のねじ開口部２２２の外縁部の間に嵌合せずに、第１本体（外側本体）２１０の外縁挿入開口部２１８を覆って延びるように構成することができる。
【００４５】
さらに、第１本体（外側本体）２１０は凹んだ内部保持部に代えて突き出た内部保持部２１４を備えることができ、第２本体（内側本体）２２０は突き出た外側保持部に代えて凹んだ外部保持部２２４を備えることができ、第１本体（外側本体）２１０および第２本体（内側本体）２２０の相互の形状設計により、同軸ケーブル・ポートの防護が有効に行われる。また、同軸ケーブル・ポート保護デバイス２００の第２の実施形態の多様な構成要素を、旋削、フライス加工、タッピング、穿孔、スタンピング、パンチング、曲げ加工、切削、射出成形、鋳造、および／または、他の同様の部品成形技法によって、金属、合金、複合物、または半剛性プラスチックから製作することができる。
【００４６】
同軸ケーブル・ポート保護デバイス２００の第２の実施形態が通常のケーブル・インターフェース・ポート上に設置された場合、同軸ケーブル・ポート保護デバイス２００は第１の緩める回転方向に自由に回転することができる。しかし、一体型弾性クラッチ部材２３０は、第１本体（外側本体）２１０に締め付ける方向に結合力が加えられた場合、および／または、トルクが加えられた場合、第２本体（内側本体）２２０と第２の締め付ける回転方向に動作可能な回転に対してのみ係合することができる。したがって、無許可のユーザは、第１本体（外側本体）２１０と第２本体（内側本体）２２０の間に結合力を使用しても同軸ケーブル・ポート保護デバイス２００を取り外すことができない。
【００４７】
しかし設置者はなお、結合トルクを第１本体２１０に締め付ける方向に加えて、一体型弾性クラッチ部材２３０が第２本体２２０のクラッチ係合部２２６と係合し、設置者がデバイス２００をインターフェース・ポート上に幾つかのねじ山の距離だけねじることができるようにすることによって、同軸ケーブル・ポート保護デバイス２００の実施形態を同軸ケーブル・ポートに取り付けることができる。細心の設置者は（図５〜６で示した）特別の工具３００も使用して、保護デバイス２００のポートへの完全なしっかりした締め付けを続けて行う。しかし、設置者がデバイス２００をポート上に完全に締め付けるために特別の工具３００の使用を怠り、代わりに単に指でデバイス２００をポート上に締め付けても、一体型弾性クラッチ部材２３０の動作によりデバイス２００を緩めてポートとの接続性を解放できるようにする第２本体２２０の回転係合が阻止されるため、デバイス２００はなおポートの保護を行うことができる。
【００４８】
さらに図５を参照すると、図５は、本発明による、最初に特別の工具３００の実施形態に係合された同軸ケーブル・ポート保護デバイス２００の第２の実施形態を示す切欠斜視図である。特別の器具または工具３００は、同軸ケーブル・ポート保護デバイス２００内にデバイス２００の第１本体２１０のねじ端部２１２に軸方向に挿入される寸法に構成された軸部材３０２を備えることができる。
【００４９】
さらに、特別の工具または器具３００は係合要素３０８を備えることができる。係合要素３０８は、ポート保護デバイス２００の第２本体２２０の工具係合形状部２２８に対応するサイズおよび形状に幾何学的に構成された引込み式突起でもよい。係合要素３０８は、特別の工具または器具３００の軸部材３０２から突き出る場合、ねじ端部２１２の内縁部の半径を超えて延びることができる。したがって、形状３０８が突き出ている間は同軸ケーブル・ポート保護デバイス２００の第１本体２１０のねじ端部２１２との物理的干渉により工具３００の挿入が阻止されるため、係合要素３０８が引き込められないと工具を保護デバイス２００内に有効に挿入可能にすることができない。
【００５０】
特別の工具または器具３００と同軸ケーブル・ポート保護デバイス２００の係合を、ユーザが保護デバイス２００の外部を把持することによって行うことができる。ユーザの把持をデバイス２００の外側把持部２１６が助けることができる。ユーザはデバイスを把持しながら、最初に特別の工具または器具３００の係合要素３０８を引っ込めて、突き出た係合要素３０８に阻止されずに工具３００の軸部材をポート保護デバイス２００内に挿入することができるようにする。特別かつ特定の工具または器具３００は、同軸ケーブル・ポート保護デバイス２００の第２本体２２０の物理構成に適切な工具係合部２２８の数に対応する複数の係合要素３０８を備えることができることが理解できよう。複数の係合要素３０８を特別の工具または器具３００上に相補的寸法的に位置合せして配置し、ポート保護デバイス２００の対応する複数の工具係合部２２８を係合させることができる。
【００５１】
さらに図６を参照すると、図６は、本発明による、特別の工具３００の一実施形態に完全に係合された同軸ケーブル・ポート保護デバイス２００の第２の実施形態を示す切欠斜視図である。特別の工具または器具３００はハンドル本体部分３１０を備えることができ、ハンドル本体部分３１０を、ユーザが操作するときに係合要素３０８を引き込みやすくするように構成することができる。たとえば、ユーザは工具３００のハンドル本体３１０部分を工具の軸部材３０２部分に対してねじり、それによって係合要素３０８のねじ式拡張操作を行うことができる。工具３００の係合要素３０８の引込み式動作を行うために、他の道具または構成を使用することもできることが理解されよう。
【００５２】
特別の工具または器具３００の軸部材３０２が同軸ケーブル・ポート保護デバイス２００内に軸方向に挿入され、係合要素３０８が保護デバイス２００の工具係合部２２８と幾何学的に位置合せされる位置に至った場合、工具３００の係合要素３０８は同軸ケーブル・ポート保護デバイス２００の工具係合部２２８と機械的に係わり合うように拡張することができる。工具は機械的に係合された後、（図４で示した）一体型弾性クラッチ部材２３０の保護動作を無効にするように動作することができる。無効にすることができるのは、工具３００と保護デバイス２００の機械的係合によって、ユーザが工具３００を使用して、一体型弾性クラッチ部材２３０の動作で容易化された自由回転運動に関係なく、保護デバイス２００の第２本体２２０を緩める回転方向に操作することができるようになるためである。したがって、ユーザは独特の工具３００を使用して、同軸ケーブル・ポート保護デバイス２００を同軸ケーブル・インターフェース・ポートから緩め、ねじを解くことができ、デバイス２００が防護される。
【００５３】
さらに、工具３００とデバイス２００の機械的係合および工具３００のハンドル本体３１０によってもたらされる把持能力により、ユーザは単に指で締め付けるよりも大きい締め付けトルクを生成することができるため、ユーザは特別の工具または器具３００を使用して、同軸ケーブル・ポート保護デバイス２００を同軸ケーブル・インターフェース・ポート上に完全に締め付けねじ込むこともできる。
【００５４】
無許可のポート・アクセスを制限することによって、同軸ケーブル・ポートの保護をある程度行うことができる。本明細書に記載した（保護デバイス１００、および保護デバイス２００、および／または、他の同様の実施形態など）同軸ケーブル・ポート保護デバイスの実施形態では、特別の工具３００を使用して保護デバイス２００を緩めることができる。当業者には理解されるように、こうした特別の工具を許可された設置者のみに制限かつ管理して配布することは、現時点で開示した同軸ケーブル・ポート保護デバイス２００の防護機能を大いに高めるであろう。同軸ケーブル・ポート保護デバイス２００の動作により、保護デバイス２００を取り外す試みは特別の工具３００がなければ無駄である。したがって、同軸ケーブル・インターフェース・ポートは、発明の保護デバイス２００がデバイス２００の取り付け中にポート上に完全に締め付けられたかどうかに関係なく防護されたままである。
【００５５】
次に図４を参照し、同軸ケーブル・ポートを保護する方法について説明する。ポート保護方法は、同軸ケーブル・ポート保護デバイス２００を提供することを含む。提供される同軸ケーブル・ポート保護デバイス２００は、第１本体２１０、および第１本体２１０に対して軸方向に配置された第２本体２２０を備えることができる。さらに、提供される同軸ケーブル・ポート保護デバイス２００は、第１本体２１０と第２本体２２０の間に放射状に配置された弾性部材２３０を備える。弾性部材２３０は、第１本体２１０と第２本体２２０の両方に対して一軸方向だけに自由に回転可能となるよう作用する。
【００５６】
さらに、弾性部材２３０は、弾性部材２３０と第２本体２２０の間の物理的干渉により、第１本体２１０に対して反対の軸方向だけに自由に回動可能となるように作用するものであってもよい。同軸ケーブル・ポートを防護する方法は、同軸ケーブル・ポート保護デバイス２００の操作による同軸ケーブルの同軸ケーブル・インターフェース・ポートへの無許可の接続の防止を含むこともできる。
【００５７】
さらに図４を参照し、また図５〜６も参照し、同軸ケーブル・ポートを保護する方法をさらに説明する。同軸ケーブルのインターフェース・ポートへの無許可の接続の防止は、弾性クラッチ部材２３０の一方向の機能性によって容易になされる同軸ケーブル・ポート保護デバイス２００の一方向の動作性を含むことができる。弾性クラッチ部材２３０は、構成要素間の結合力、および／または、トルクが第１本体（外側本体）２１０に加えられて、同軸ケーブル・ポート保護デバイスが締め付ける方向に回転された場合、第２本体（内側本体）２２０の物理的係合を可能にするように機能することができる。したがって、第２本体（内側本体）２２０のねじ開口部２２２を同軸ケーブル・インターフェース・ポート上に幾つかのねじ山の距離だけ指で締め付けることができる。しかし反対方向に回転された場合、弾性クラッチ部材２３０は、第２本体（内側本体）２２０と実質的に係合せずに自由に回転し、それによってポート保護デバイス２００がインターフェース・ポートからねじ解かれ、および／または、取り外されることが阻止される。
【００５８】
同軸ケーブルのインターフェース・ポートへの認可された接続を、特別の工具または器具３００を使用して同軸ケーブル・ポート保護デバイスを緩める回転方向に係合し、第２本体２２０を直接ねじ解き、弾性クラッチ部材２３０の自由回転保護動作を無効にすることによって行うことができる。さらに、許可された設置者は、特別の工具３００を使用して、独特の工具３００の動作によって実現される機械的利点により得られるより大きい締め付けトルクを加えることによって、同軸ケーブル・ポート保護デバイス２００をインターフェース・ポートにより完全にしっかり締め付けることができる。
【００５９】
同軸ケーブル・ポートの保護を行うさらなる方法論は、本発明による同軸ケーブル・ポート保護デバイス１００の第１の実施形態または同軸ケーブル・ポート保護デバイスの他の同様の実施形態を提供することを含むことができる。さらに、当業者には理解されるように、同軸ケーブルの同軸ケーブル・ポートへの無許可の接続の防止を、本発明による同軸ケーブル・ポート保護デバイス１００の第１の実施形態または同軸ケーブル・ポート保護デバイスの他の同様の実施形態の動作により行うことができる。
【００６０】
本発明を上で概要を述べた特別の実施形態と併せて記載したが、多くの変更形態、修正形態、変形形態が当業者には明らかであることが明白である。したがって、上記の本発明の実施形態は例示であって限定的なものではない。添付の特許請求の範囲に記載した本発明の精神および範囲から逸脱することなく様々な変更を加えることができる。
【図面の簡単な説明】
【００６１】
【図１】本発明による同軸ケーブル・ポート保護デバイスの第１の実施形態を示す分解斜視図である。
【図２】本発明による同軸ケーブル・ポート保護デバイスの第１の実施形態を示す切欠斜視図である。
【図３】本発明による同軸ケーブル・ポート保護デバイスの第１の実施形態を示す斜視図である。
【図４】本発明による同軸ケーブル・ポート保護デバイスの第２の実施形態を示す分解斜視図である。
【図５】本発明による、最初に特別の工具の実施形態に係合された同軸ケーブル・ポート保護デバイスの第２の実施形態を示す切欠斜視図である。
【図６】本発明による、特別の工具の実施形態に完全に係合された同軸ケーブル・ポート保護デバイスの第２の実施形態を示す切欠斜視図である。
【図１】
2008541350.tif 000003
【図２】
2008541350.tif 000004
【図３】
2008541350.tif 000005
【図４】
2008541350.tif 000006
【図５】
2008541350.tif 000007
【図６】
2008541350.tif 000008
【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
ワンピースの外側本体と、
前記外側本体の少なくとも一部内に受容される内側本体であって、それが前記外側本体によって受容されて同軸ケーブル・ポートに取り付けられたときに、前記外側本体によって外からのアクセスから保護される前記内側本体と、
前記外側本体と前記内側本体との間において作用するクラッチ部材であって、前記内側本体に対する前記クラッチ部材の第１の方向の軸回転が、前記クラッチ部材と前記内側本体の協働によって前記クラッチ部材に生じる接触力によって阻止されるように、前記外側本体と前記内側本体との間で作用することによって、前記内側本体の前記同軸ケーブル・ポートからの取り外しを阻止するように機能する前記クラッチ部材
とで構成される、同軸ケーブル・ポート保護デバイス。
【請求項２】
前記デバイスが位置決めリングをさらに備える、請求項１に記載の同軸ケーブル・ポート保護デバイス。
【請求項３】
前記デバイスが中心ブッシングをさらに備える、請求項１に記載の同軸ケーブル・ポート保護デバイス。
【請求項４】
前記デバイスが環境キャップをさらに備える、請求項１に記載の同軸ケーブル・ポート保護デバイス。
【請求項５】
前記デバイスが中心ピンをさらに備える、請求項１に記載の同軸ケーブル・ポート保護デバイス。
【請求項６】
前記デバイスが、前記内側本体上に、特別の工具と前記同軸ケーブル・ポート保護デバイスとの間の動作可能な係合を助けるための少なくとも１つの工具係合部をさらに備える、請求項１に記載の同軸ケーブル・ポート保護デバイス。
【請求項７】
前記特別の工具が、前記内側本体の前記少なくとも１つの工具係合部に対応する少なくとも１つの引込み式係合要素を備える、請求項６に記載の同軸ケーブル・ポート保護デバイス。
【請求項８】
ワンピースの第１本体と、
同軸ケーブル・ポートに取り付けるためのねじ開口部を有していて、前記第１本体に対して軸方向に位置付けられて前記同軸ケーブル・ポートに取り付けられたときに、前記第１本体によって外からのアクセスから保護される第２本体と、
前記第１本体と前記第２本体の間に放射方向に配置され、前記第１本体に対しては１つの軸の周りで両方向に回転的に可動であり、前記第２本体に対しては、前記第２本体との間の物理的干渉により１つの軸の周りで一方向にのみ回転的に可動である弾性部材
とから成る、同軸ケーブル・ポート保護デバイス。
【請求項９】
前記デバイスが位置決めリングをさらに備える、請求項８に記載の同軸ケーブル・ポート保護デバイス。
【請求項１０】
前記デバイスが中心ブッシングをさらに備える、請求項８に記載の同軸ケーブル・ポート保護デバイス。
【請求項１１】
前記デバイスが環境キャップをさらに備える、請求項８に記載の同軸ケーブル・ポート保護デバイス。
【請求項１２】
前記デバイスが中心ピンをさらに備える、請求項８に記載の同軸ケーブル・ポート保護デバイス。
【請求項１３】
前記デバイスが特別の器具と共に動作可能である、請求項８に記載の同軸ケーブル・ポート保護デバイス。
【請求項１４】
前記デバイスが、前記特別の工具と前記同軸ケーブル・ポート保護デバイスの動作を容易にするための前記第２本体上に構成された少なくとも１つの工具係合部をさらに備える、請求項１３に記載の同軸ケーブル・ポート保護デバイス。
【請求項１５】
前記特別の工具が前記第２本体の前記少なくとも１つの工具係合部に対応する少なくとも１つの引込み式係合要素を備える、請求項１４に記載の同軸ケーブル・ポート保護デバイス。
【請求項１６】
第２本体に対して回転するように軸方向に位置付けられたワンピースの第１本体であって、前記第２本体が、前記第１本体の少なくとも一部内に受容されて同軸ケーブル・ポートに取り付けられたときに、前記第２本体を外からのアクセスから保護するように構成された前記第１本体と、
特別の工具によって操作されたときに前記同軸ケーブル・ポートに対する前記第２本体の一方向の回転を容易にする手段
とを備える、同軸ケーブル・ポート保護デバイス。
【請求項１７】
前記デバイスが、前記特別の工具と前記同軸ケーブル・ポート保護デバイスとの動作可能な係合を助けるための工具係合手段をさらに備える、請求項１６に記載の同軸ケーブル・ポート保護デバイス。
【請求項１８】
前記特別の工具が前記同軸ケーブル・ポート保護デバイスの前記係合手段に対応する係合手段を備える、請求項１７に記載の同軸ケーブル・ポート保護デバイス。
【請求項１９】
同軸ケーブル・ポートを保護する方法であって、当該方法は、
第２本体が前記同軸ケーブル・ポートに取り付けられたときに、前記第２本体を受容して保護するように構成されたワンピースの第１本体と、前記第１本体と前記第２本体の間に放射方向に配置された弾性部材とを備え、前記弾性部材は前記第１本体に対しては両方向に、前記第２本体に対しては、前記弾性部材と前記第２本体との間の物理的干渉により一方向にだけ回転的に可動である、同軸ケーブル・ポート保護デバイスを提供することと、
前記デバイスの作用により、同軸ケーブルの前記同軸ケーブル・ポートへの無許可の接続を防止すること
とから成る、同軸ケーブル・ポート保護方法。
【請求項２０】
特別の工具を使用して同軸ケーブルの前記同軸ケーブル・ポートへの許可された接続を容易にすることをさらに含む、請求項１９に記載の同軸ケーブル・ポート保護方法。
【国際調査報告】
2008541350.tif 000009